(57)【要約】【課題】フェースの中心からずれた位置でボールが打撃された場合でも、高い弾道が得られうるラケットの提供。【解決手段】ラケットのグロメット８は、筒部１００ａを有している。この筒部１００ａは、ストリングが通されるための貫通孔２４ａを有している。この貫通孔２４ａは、ベース側開口２６ａ、側壁２８ａ及び先端側開口３０ａを有している。先端側開口３０ａにおいて、フェースに平行な方向における内寸は、フェースに垂直な方向における内寸よりも大きい。この筒部１００ａにおいて、ベース側開口２６ａから先端側開口３０ａに至るまで、ストリングは、側壁２８ａに当接している【選択図】図５
2020151059.tif 000002
【特許請求の範囲】
【請求項１】
フレーム、このフレームに装着されかつ複数の筒部を有するグロメット、及びフェースを形成するストリングを備えており、
それぞれの筒部が、上記ストリングが通されるための貫通孔を有しており、
上記貫通孔が、ベース側開口、側壁及び先端側開口を有しており、
上記筒部の少なくとも１つが、上記フェースに平行な方向における内寸が上記フェースに垂直な方向における内寸よりも大きい非円形な先端側開口を有しており、
上記非円形な先端側開口を有する筒部において、上記ベース側開口から上記先端側開口に至るまで、上記ストリングが、上記側壁に当接しているラケット。
【請求項２】
上記非円形な先端側開口を有する筒部に、縦ストリングが通されている請求項１に記載のラケット。
【請求項３】
上記非円形な先端側開口を有する筒部が、上記フレームのトップの近傍に配置されている請求項２に記載のラケット。
【請求項４】
上記非円形な先端側開口を有する筒部において、上記側壁が有する幅方向内側の壁面に上記ストリングが当接している請求項３に記載のラケット。
【請求項５】
上記非円形な先端側開口を有する筒部が、上記ベース側開口から上記先端側開口に至るまで合同な断面形状を有する貫通孔を有する請求項１から４のいずれかに記載のラケット。
【請求項６】
上記非円形な先端側開口の輪郭が楕円又は長円である請求項１から５のいずれかに記載のラケット。
【請求項７】
非円形な先端側開口における、フェースに平行な方向における内寸Ｌ１の、フェースに垂直な方向における内寸Ｌ２に対する比（Ｌ１／Ｌ２）が、１．３以上である請求項１から６のいずれかに記載のラケット。
【請求項８】
非円形な先端側開口における、フェースに平行な方向における内寸Ｌ１の、ストリングの直径Ｄに対する比（Ｌ１／Ｄ）が、１．５以上である請求項１から７のいずれかに記載のラケット。
【発明の詳細な説明】
【技術分野】
【０００１】
本発明は、テニス等に使用されるラケットに関する。
【背景技術】
【０００２】
テニスラケットは、フレームとストリングとを有している。古くは、フレームに形成された孔に直接にストリングが通されていた。近年のテニスラケットでは、グロメットを介して孔にストリングが通されている。グロメットの形状に関する提案が、特開２０１５−２１７１９２公報に開示されている。
【先行技術文献】
【特許文献】
【０００３】
【特許文献１】特開２０１５−２１７１９２公報
【発明の概要】
【発明が解決しようとする課題】
【０００４】
テニスプレーヤーは、ラケットのフェースの中心でボールを打撃しようと努力する。しかし、テニスのプレーでは、中心からずれた位置での打撃が、頻繁に発生する。中心よりも下側（地面側）でボールが打撃されると、フェースの角度が変化することに起因して、小さな打ち出し角度でボールが飛行する。この打ち出し角度は、低い弾道を招来する。低い弾道のボールは、ネットを超えにくい。
【０００５】
本発明の目的は、フェースの中心からずれた位置でボールが打撃された場合でも、安定した弾道が得られうるラケットの提供にある。
【課題を解決するための手段】
【０００６】
本発明に係るラケットは、
（１）フレーム、
（２）このフレームに装着されかつ複数の筒部を有するグロメット、
及び
（３）フェースを形成するストリング
を有する。それぞれの筒部は、ストリングが通されるための貫通孔を有する。この貫通孔は、ベース側開口、側壁及び先端側開口を有する。これら筒部の少なくとも１つは、フェースに平行な方向における内寸がフェースに垂直な方向における内寸よりも大きい、非円形な先端側開口を有する。この非円形な先端側開口を有する筒部において、ベース側開口から先端側開口に至るまで、ストリングが、側壁に当接する。
【０００７】
好ましくは、非円形な先端側開口を有する筒部に、縦ストリングが通される。好ましくは、非円形な先端側開口を有する筒部は、フレームのトップの近傍に配置される。好ましくは、非円形な先端側開口を有する筒部において、側壁が有する幅方向内側の壁面にストリングが当接する。
【０００８】
好ましくは、非円形な先端側開口を有する筒部は、ベース側開口から先端側開口に至るまで合同な断面形状を有する貫通孔を有する。
【０００９】
好ましくは、非円形な先端側開口の輪郭は、楕円又は長円である。
【００１０】
好ましくは、上記非円形な先端側開口における、上記フェースに平行な方向における内寸Ｌ１の、上記フェースに垂直な方向における内寸Ｌ２に対する比（Ｌ１／Ｌ２）は、１．３以上である。
【００１１】
好ましくは、上記非円形な先端側開口における、上記フェースに平行な方向における内寸Ｌ１の、上記ストリングの直径Ｄに対する比（Ｌ１／Ｄ）は、１．５以上である。
【発明の効果】
【００１２】
本発明に係るラケットフレームでは、ストリングが容易に変形するので、ストローク時のボールとの接触時間が長い。このラケットフレームは、大きな打ち出し角度に寄与しうる。
【図面の簡単な説明】
【００１３】
【図１】図１は、本発明の一実施形態に係るラケットが示された正面図である。
【図２】図２は、図１のラケットの一部が示された拡大図である。
【図３】図３は、図１のラケットの一部が示された分解図である。
【図４】図４は、図３のテニスラケットのグロメットの一部が示された拡大図である。
【図５】図５（ａ）は図４のグロメットの一部が示された拡大断面図であり、図５（ｂ）は図５（ａ）のＢ−Ｂ線に沿った断面図である。
【図６】図６（ａ）は図４のグロメットの一部が示された拡大断面図であり、図６（ｂ）は図６（ａ）のＢ−Ｂ線に沿った断面図である。
【図７】図７（ａ）は図５のグロメットがストリングと共に示された断面図であり、図７（ｂ）は図７（ａ）のＢ−Ｂ線に沿った断面図である。
【図８】図８は、図１のラケットのトップ近傍が示された拡大図である。
【図９】図９は、図１のラケットがテニスボールと共に示された正面図である。
【図１０】図１０は、図８のトップ近傍が示された正面図である。
【図１１】図１１は、図５のグロメットの筒部がストリングと共に示された底面図である。
【図１２】図１２（ａ）は本発明の他の実施形態に係るラケットのグロメットの一部が示された断面図であり、図１２（ｂ）は図１２（ａ）のＢ−Ｂ線に沿った断面図である。
【図１３】図１３は、図１２のグロメットの筒部がストリングと共に示された底面図である。
【図１４】図１４（ａ）は本発明のさらに他の実施形態に係るラケットのグロメットの一部が示された断面図であり、図１４（ｂ）は図１４（ａ）のＢ−Ｂ線に沿った断面図である。
【図１５】図１５は、図１４のグロメットの筒部がストリングと共に示された底面図である。
【図１６】図１６は、本発明のさらに他の実施形態に係るラケットのトップ近傍が示された拡大図である。
【発明を実施するための形態】
【００１４】
以下、適宜図面が参照されつつ、好ましい実施形態に基づいて本発明が詳細に説明される。
【００１５】
（第一実施形態）
図１−３に、テニスラケット２が示されている。このテニスラケット２は、フレーム４、グリップ６、グロメット８及びストリング１０を有している。このテニスラケット２は、硬式テニスに使用されうる。図１及び２において、矢印Ｘはテニスラケット２の幅方向を表し、矢印Ｙはテニスラケット２の軸方向を表す。
【００１６】
フレーム４は、ヘッド１２、２つのスロート１４及びシャフト１６を有している。ヘッド１２は、フェース１７（後に詳説）の輪郭を形成している。ヘッド１２の正面形状は、略楕円である。楕円の長径方向は、テニスラケット２の軸方向Ｙと一致している。楕円の短径方向は、テニスラケット２の幅方向Ｘと一致している。それぞれのスロート１４の一端は、ヘッド１２と連続している。このスロート１４は、他端の近傍で他のスロート１４と合流している。スロート１４は、ヘッド１２から延びてシャフト１６に至っている。シャフト１６は、２つのスロート１４が合流する箇所から延びている。シャフト１６は、スロート１４と連続的にかつ一体的に形成されている。ヘッド１２のうち２つのスロート１４に挟まれた部分は、ヨーク１８である。ヘッド１２が、楕円以外の形状を有してもよい。
【００１７】
このフレーム４は、パイプからなる。換言すれば、このフレーム４は中空である。このパイプの材質は、繊維強化樹脂である。この繊維強化樹脂のマトリクス樹脂は、熱硬化樹脂である。典型的な熱硬化樹脂は、エポキシ樹脂である。繊維強化樹脂の典型的な繊維は、カーボン繊維である。この繊維は、長繊維である。
【００１８】
グリップ６は、シャフト１６に巻かれたテープによって形成されている。グリップ６は、テニスラケット２がスイングされたときの、プレーヤーの手とテニスラケット２とのスリップを抑制する。
【００１９】
図３に示されるように、このテニスラケット２は、第一グロメット８ａ、２つの第二グロメット８ｂ及び第三グロメット８ｃを有している。それぞれのグロメット８は、ベース２０と複数の筒部１００とを有している。それぞれの筒部１００は、ベース２０と一体的に形成されている。このグロメット８の典型的な材質は、フレーム４よりも軟質な合成樹脂である。
【００２０】
図３において矢印Ａ１で示されるように、第一グロメット８ａは、ヘッド１２のトップの近傍に装着される。この装着により、第一グロメット８ａのそれぞれの筒部１００が、ヘッド１２に設けられた孔（図示されず）を貫通する。図３において矢印Ａ２で示されるように、それぞれの第二グロメット８ｂは、ヘッド１２のサイドに装着される。この装着により、第二グロメット８ｂのそれぞれの筒部１００が、ヘッド１２に設けられた孔（図示されず）を貫通する。図３において矢印Ａ３で示されるように、第三グロメット８ｃは、ヨーク１８に装着される。この装着により、第三グロメット８ｃのそれぞれの筒部１００が、ヘッド１２に設けられた孔（図示されず）を貫通する。
【００２１】
ストリング１０は、ヘッド１２に張られる。ストリング１０は、幅方向Ｘ及び軸方向Ｙに沿って張られる。ストリング１０のうち幅方向Ｘに沿って延在する部分は、横ストリング１０ａと称される。ストリング１０のうち軸方向Ｙに沿って延在する部分は、縦ストリング１０ｂと称される。複数の横ストリング１０ａ及び複数の縦ストリング１０ｂにより、フェース１７（図１参照）が形成される。フェース１７は、概してＸ−Ｙ平面に沿っている。
【００２２】
図４は、図３のテニスラケット２のグロメット８の一部が示された拡大図である。前述の通り、グロメット８は、ベース２０と複数の筒部１００とを有している。
【００２３】
図５には、グロメット８の一部が示されている。図５（ａ）は、筒部１００ａの軸を含む平面に沿った断面図である。図５（ｂ）は、筒部１００ａの軸に垂直な平面に沿った断面図である。これらの図に示されるとおり、筒部１００ａは、貫通孔２４ａを有している。貫通孔２４ａは、ベース側開口２６ａ、側壁２８ａ及び先端側開口３０ａを有している。図５（ｂ）に示される通り、貫通孔２４ａの断面形状は、長円である。貫通孔２４ａは、ベース側開口２６ａから先端側開口３０ａに至るまで、合同な断面形状を有する。従って、先端側開口３０ａの形状は、長円（すなわち非円形）である。この先端側開口３０ａでは、フェース１７に平行な方向（図５（ｂ）の左右方向）における内寸は、フェース１７に垂直な方向（図５（ｂ）の上下方向）における内寸よりも大きい。
【００２４】
図６には、グロメット８の他の部分が示されている。図６（ａ）は、筒部１００ｂの軸を含む平面に沿った断面図である。図６（ｂ）は、筒部１００ｂの軸に垂直な平面に沿った断面図である。これらの図に示されるとおり、筒部１００ｂは、貫通孔２４ｂを有している。貫通孔２４ｂは、ベース側開口２６ｂ、側壁２８ｂ及び先端側開口３０ｂを有している。図６（ｂ）に示される通り、貫通孔２４ｂの断面形状は、円である。貫通孔２４ｂは、ベース側開口２６ｂから先端側開口３０ｂに至るまで、合同な断面形状を有する。従って、先端側開口３０ｂの形状は、円である。この先端側開口３０ｂでは、フェース１７に平行な方向（図６（ｂ）の左右方向）における内寸は、フェース１７に垂直な方向（図６（ｂ）の上下方向）における内寸と同じである。
【００２５】
図７には、図５の筒部１００ａが示されている。図７には、ストリング１０も示されている。ストリング１０は、貫通孔２４ａを通されている。ストリング１０は、ベース側開口２６ａから先端側開口３０ａに至るまで、側壁２８ａに当接している。ストリング１０は、側壁２８ａの左側壁面に当接している。ベース側開口２６ａの左右方向内寸が、先端側開口３０ａの左右方向内寸と同じなので、ストリング１０が、ベース側開口２６ａから先端側開口３０ａに至るまで、側壁２８ａに当接しうる。ベース側開口２６ａの左右方向内寸が、先端側開口３０ａの左右方向内寸より大きくてもよい。図７から明らかなように、貫通孔２４ａの左右方向内寸は、ストリング１０の直径に比べて十分大きい。従ってストリング１０は、筒部１００ａの中で、右方向に移動しうる。筒部１００ａは、主として左右方向（フェース１７に平行な方向）へのストリング１０の移動を許容する。
【００２６】
図２において符号ＣＬで示されているのは、中心線である。テニスラケット２は、中心線ＣＬに対して対称な形状を有する。図２に示されるように、テニスラケット２は、第一筒部１０１、第二筒部１０２、第三筒部１０３、第四筒部１０４、第五筒部１０５、第六筒部１０６、第七筒部１０７、第八筒部１０８、第九筒部１０９、第十筒部１１０、第十一筒部１１１、第十二筒部１１２、第十三筒部１１３、第十四筒部１１４、第十五筒部１１５、第十六筒部１１６、第十七筒部１１７、第十八筒部１１８、第十九筒部１１９、第二十筒部１２０、第二十一筒部１２１、第二十二筒部１２２、第二十三筒部１２３、第二十四筒部１２４、第二十五筒部１２５、第二十六筒部１２６、第二十七筒部１２７、第二十八筒部１２８、第二十九筒部１２９、第三十筒部１３０、第三十一筒部１３１、第三十二筒部１３２、第三十三筒部１３３、第三十四筒部１３４及び第三十五筒部１３５を有している。図２には、３５個の筒部１００が示されている。前述の通り、テニスラケット２が中心線ＣＬに対して対称な形状を有するので、このテニスラケット２における筒部１００の数は、７０である。
【００２７】
図２に示されるように、第一筒部１０１、第二筒部１０２、第三筒部１０３、第四筒部１０４、第五筒部１０５、第六筒部１０６、第七筒部１０７、第九筒部１０９、第二十七筒部１２７、第二十九筒部１２９、第三十筒部１３０、第三十一筒部１３１、第三十二筒部１３２、第三十三筒部１３３、第三十四筒部１３４及び第三十五筒部１３５には、縦ストリング１０ｂが通されている。第八筒部１０８、第十筒部１１０、第十一筒部１１１、第十二筒部１１２、第十三筒部１１３、第十四筒部１１４、第十五筒部１１５、第十六筒部１１６、第十七筒部１１７、第十八筒部１１８、第十九筒部１１９、第二十筒部１２０、第二十一筒部１２１、第二十二筒部１２２、第二十三筒部１２３、第二十四筒部１２４、第二十五筒部１２５、第二十六筒部１２６及び第二十八筒部１２８には、横ストリング１０ａが通されている。
【００２８】
本実施形態では、第二筒部１０２及び第四筒部１０４は、断面形状が長円である貫通孔２４ａ（図５参照）を有する。他の筒部１００は、断面形状が円である貫通孔２４ｂ（図６参照）を有する。第二筒部１０２及び第四筒部１０４以外の筒部１００が、断面形状が長円である貫通孔２４ａを有してもよい。例えば第六筒部１０６が、断面形状が長円である貫通孔２４ａを有してもよい。
【００２９】
図８は、図１のテニスラケット２のトップ近傍が示された拡大図である。図８では、フレーム４及び横ストリング１０ａの図示が省略されている。図８には、ベース２０、第一筒部１０１、第二筒部１０２、第三筒部１０３及び第四筒部１０４が示されている。第一筒部１０１は、断面形状が円である貫通孔２４ｂ（図６参照）を有している。第二筒部１０２は、断面形状が長円である貫通孔２４ａを有している。第三筒部１０３は、断面形状が円である貫通孔２４ｂを有している。第四筒部１０４は、断面形状が長円である貫通孔２４ａを有している。第二筒部１０２においてストリング１０は、貫通孔２４ａの側壁２８ａの、左側（幅方向内側）の壁面に当接している。第四筒部１０４においてストリング１０は、貫通孔２４ａの側壁２８ａの、左側（幅方向内側）の壁面に当接している。
【００３０】
図９には、テニスラケット２と共にテニスボール３２が示されている。図９には、テニスラケット２とテニスボール３２とのインパクトの瞬間が、示されている。図９では、テニスボール３２は、中心線ＣＬよりも下方（地面Ｇの側）にて、フェース１７と衝突している。この状態でプレーヤーは、テニスラケット２を、前方へ、そして上方へとスイングする。
【００３１】
このスイングにより、第二筒部１０２を通された縦ストリング１０ｂに、幅方向外向きの力がかかる。第二筒部１０２（１００ａ）の貫通孔２４ａの幅方向内寸は、十分に大きい。従って、この縦ストリング１０ｂは、第二筒部１０２に邪魔されることなく変形し、幅方向外向きに移動する。図１０には、移動後の縦ストリング１０ｂが示されている。この縦ストリング１０ｂは、その後に復元する。第四筒部１０４（１００ａ）を通された縦ストリング１０ｂも、同様に、変形し、復元する。これらの縦ストリング１０ｂの変形と復元とにより、テニスラケット２とテニスボール３２との大きな接触時間が達成される。このテニスラケット２により、大きな打ち出し角度で、テニスボール３２が打ち出される。このテニスラケット２では、中心線ＣＬよりも下方にてテニスボール３２が打撃されたときでも、高い弾道が得られうる。
【００３２】
前述の通りストリング１０は、貫通孔２４ａの側壁２８ａの、幅方向内側の壁面に当接している。従って、テニスボール３２が中心線ＣＬよりも上方にてフェース１７と衝突した場合、長円である貫通孔２４ａによる、縦ストリング１０ｂの変形の促進は、得られない。従って、大きな接触時間が得られず、弾道の補正もなされない。このラケット２では、テニスボール３２が中心線ＣＬよりも上方にてフェース１７と衝突した場合と、テニスボール３２が中心線ＣＬよりも下方にてフェース１７と衝突した場合との、弾道差が少ない。
【００３３】
設計者が意図する性能をテニスラケット２に付与する目的で、幅方向外側の壁面にストリング１０が当接するように、筒部１００ａが形成されてもよい。
【００３４】
図８において矢印Ｗ２で示されているのは、幅方向において最も外側にある、非円形な先端側開口３０ａを有しておりかつ幅方向内側の壁面にストリング１０ｂが当接する筒部１００ａまでの、中心線ＣＬからの幅方向距離である。距離Ｗ２は、テニスラケット２の半幅Ｗ１（図１参照）の１５％以上８０％以下が好ましく、２０％以上７０％以下が特に好ましい。
【００３５】
このテニスラケット２では、トップ近傍に位置する筒部１００ａ（第二筒部１０２及び第四筒部１０４）が、断面形状が非円形である貫通孔２４ａを有する。ヨーク１８に位置する筒部１００が、断面形状が非円形である貫通孔２４ａを有してもよい。サイドに位置する筒部１００が、断面形状が非円形である貫通孔２４ａを有してもよい。断面形状が非円形である貫通孔２４ａを有する筒部１００に、横ストリング１０ａが通されてもよい。いずれの場合も、所定箇所にテニスボール３２が衝突したときの、弾道高さの向上が達成されうる。
【００３６】
このテニスラケット２では、前述の通り、第二筒部１０２及び第四筒部１０４が、断面形状が非円形である貫通孔２４ａを有する。このテニスラケット２は、中心線ＣＬに対して対称な形状を有するので、２個の第二筒部１０２及び２個の第四筒部１０４を有する。従って、断面形状が非円形であってかつ幅方向内側の壁面にストリング１０ｂが当接する貫通孔２４ａを有する筒部１００ａの総数Ｎは、４個である。総数Ｎは、２個以上１６個以下が好ましく、４個以上１２個以下が好ましい。
【００３７】
図１１は、図５のグロメット８の筒部１００ａが示された底面図である。図１１には、筒部１００ａの先端が示されている。図１１における紙面垂直方向は、筒部１００ａの軸の方向である。筒部１００ａは、先端側開口３０ａを有している。前述の通り、先端側開口３０ａの形状は、長円である。
【００３８】
図１１において矢印Ｌ１で示されているのは、先端側開口３０ａの、フェース１７に平行な方向における内寸である。内寸Ｌ１は、長円の長径でもある。図１１において矢印Ｌ２で示されているのは、先端側開口３０ａの、フェース１７に垂直な方向における内寸である。内寸Ｌ２は、長円の短径でもある。ストリング１０がフェース１７に平行な方向に容易に変形し、かつフェース１７に垂直な方向に変形しにくいとの観点から、比（Ｌ１／Ｌ２）は１．３以上が好ましく、１．５以上が特に好ましい。比（Ｌ１／Ｌ２）は、４．０以下が好ましい。Ｌ１は、２．０ｍｍ以上３．０ｍｍ以下が好ましい。
【００３９】
図１１において矢印Ｄで示されているのは、ストリング１０の直径である。ストリング１０がフェース１７に平行な方向に容易に変形するとの観点から、比（Ｌ１／Ｄ）は１．５以上が好ましく、１．８以上が特に好ましい。比（Ｌ１／Ｄ）は、４．５以下が好ましい。
【００４０】
（第二実施形態）
図１２（ａ）は本発明の他の実施形態に係るテニスラケットのグロメット３４の一部が示された断面図であり、図１２（ｂ）は図１２（ａ）のＢ−Ｂ線に沿った断面図である。このテニスラケットの、グロメット３４以外の構造は、図１−１１に示されたテニスラケット２のそれと同じである。
【００４１】
グロメット３４は、ベース３６と筒部３８とを有している。筒部３８は、貫通孔４０を有している。貫通孔４０は、ベース側開口４２、側壁４４及び先端側開口４６を有している。図１２（ｂ）に示される通り、貫通孔４０の断面形状は、楕円である。貫通孔４０は、ベース側開口４２から先端側開口４６に至るまで、合同な断面形状を有する。
【００４２】
図１３は、図１２のグロメット３４の筒部３８が示された底面図である。図１３には、筒部３８の先端が示されている。図１３には、ストリング１０も示されている。図１３における紙面垂直方向は、筒部３８の軸の方向である。先端側開口４６の形状は、楕円である。
【００４３】
図１３において矢印Ｌ１で示されているのは、先端側開口４６の、フェースに平行な方向における内寸である。内寸Ｌ１は、楕円の長径でもある。図１３において矢印Ｌ２で示されているのは、先端側開口４６の、フェースに垂直な方向における内寸である。内寸Ｌ２は、楕円の短径でもある。ストリング１０がフェースに平行な方向に容易に変形し、かつフェースに垂直な方向に変形しにくいとの観点から、比（Ｌ１／Ｌ２）は１．３以上が好ましく、１．５以上が特に好ましい。比（Ｌ１／Ｌ２）は、４．０以下が好ましい。内寸Ｌ２は、１．８ｍｍ以上２．２ｍｍ以下が好ましい。
【００４４】
図１３において矢印Ｄで示されているのは、ストリング１０の直径である。ストリング１０がフェースに平行な方向に容易に変形するとの観点から、比（Ｌ１／Ｄ）は１．５以上が好ましく、１．８以上が特に好ましい。比（Ｌ１／Ｄ）は、４．５以下が好ましい。
【００４５】
（第三実施形態）
図１４（ａ）は本発明のさらに他の実施形態に係るテニスラケットのグロメット４４の一部が示された断面図であり、図１４（ｂ）は図１４（ａ）のＢ−Ｂ線に沿った断面図である。このテニスラケットの、グロメット４４以外の構造は、図１−１１に示されたテニスラケット２のそれと同じである。
【００４６】
グロメット４４は、ベース４６と筒部４８とを有している。筒部４８は、貫通孔５０を有している。貫通孔５０は、ベース側開口５２、側壁５４及び先端側開口５６を有している。図１４（ｂ）に示される通り、貫通孔５０の断面形状は、長円である。この長円の長軸は、フェースに平行な方向に対して傾斜している。貫通孔５０は、ベース側開口５２から先端側開口５６に至るまで、合同な断面形状を有する。
【００４７】
図１５は、図１４のグロメット４４の筒部４８が示された底面図である。図１５には、筒部４８の先端が示されている。図１５には、ストリング１０も示されている。図１５における紙面垂直方向は、筒部４８の軸の方向である。先端側開口５６の形状は、長円である。
【００４８】
図１５において矢印Ｌ１で示されているのは、先端側開口５６の、フェースに平行な方向における内寸である。図１５において矢印Ｌ２で示されているのは、先端側開口５６の、フェースに垂直な方向における内寸である。内寸Ｌ１は、内寸Ｌ２よりも大きい。従ってストリング１０は、貫通孔５０の中を、フェースに平行な方向に容易に移動しうる。ストリング１０がフェースに平行な方向に容易に変形し、かつフェースに垂直な方向に変形しにくいとの観点から、比（Ｌ１／Ｌ２）は１．３以上が好ましく、１．５以上が特に好ましい。比（Ｌ１／Ｌ２）は、４．０以下が好ましい。
【００４９】
図１５において矢印Ｄで示されているのは、ストリング１０の直径である。ストリング１０がフェースに平行な方向に容易に変形するとの観点から、比（Ｌ１／Ｄ）は１．５以上が好ましく、１．８以上が特に好ましい。比（Ｌ１／Ｄ）は、４．５以下が好ましい。
【００５０】
（第四実施形態）
図１６は、本発明のさらに他の実施形態に係るラケットのトップ近傍が示された拡大図である。図１６では、フレーム及び横ストリング１０ａの図示が省略されている。図１６には、ベース６０と５つの筒部６２が示されている。それぞれの筒部６２は、断面形状が長円である貫通孔６４を有している。長円の長軸は、ラケットの幅方向（図１６の左右方向）と一致している。この貫通孔は、側壁６６を有している。
【００５１】
図１６から明らかな通り、このラケットは、縦ストリング１０ｂが側壁６６の幅方向内側（図１６の左側）の壁面に当接する筒部６２ａと、縦ストリング１０ｂが側壁６６の幅方向外側（図１６の右側）の壁面に当接する筒部６２ｂとを有する。第一の筒部６２ａを通された縦ストリング１０ｂは、幅方向外側に十分に変形しうる。第二の筒部６２ｂを通された縦ストリング１０ｂは、幅方向内側に十分に変形しうる。
【００５２】
（さらに他の実施形態）
主としてフェースに平行な方向へのストリングの移動を許容する筒部では、先端側開口に種々の形状が採用されうる。いずれの先端側開口においても、フェースに平行な方向における内寸Ｌ１は、フェースに垂直な方向における内寸Ｌ２よりも大きい。比（Ｌ１／Ｌ２）は１．３以上が好ましく、１．５以上が特に好ましい。比（Ｌ１／Ｌ２）は、４．０以下が好ましい。
【産業上の利用可能性】
【００５３】
本発明に係るラケットは、ソフトテニス、スカッシュ、バドミントン等の種々の競技において用いられうる。
【符号の説明】
【００５４】
２・・・テニスラケット
４・・・フレーム
６・・・グリップ
８、３４、４４・・・グロメット
８ａ・・・第一グロメット
８ｂ・・・第二グロメット
８ｃ・・・第三グロメット
１０・・・ストリング
１０ａ・・・横ストリング
１０ｂ・・・縦ストリング
１２・・・ヘッド
２０、３６、４６、６０・・・ベース
２４ａ、２４ｂ、４０、５０、６４・・・貫通孔
２６ａ、２６ｂ、４２、５２・・・ベース側開口
２８ａ、２８ｂ、４４、５４、６６・・・側壁
３０ａ、３０ｂ、４６、５６・・・先端側開口
３８、４８・・・筒部
６２、６２ａ、６２ｂ・・・筒部
１００、１０１−１３５、１００ａ、１００ｂ・・・筒部
【図１】
2020151059.tif 000003
【図２】
2020151059.tif 000004
【図３】
2020151059.tif 000005
【図４】
2020151059.tif 000006
【図５】
2020151059.tif 000007
【図６】
2020151059.tif 000008
【図７】
2020151059.tif 000009
【図８】
2020151059.tif 000010
【図９】
2020151059.tif 000011
【図１０】
2020151059.tif 000012
【図１１】
2020151059.tif 000013
【図１２】
2020151059.tif 000014
【図１３】
2020151059.tif 000015
【図１４】
2020151059.tif 000016
【図１５】
2020151059.tif 000017
【図１６】
2020151059.tif 000018